(57)【要約】  蛇口とホースとの間に高い圧力が発生するときに漏水及び離脱を防ぐために強い締結力を有する水道の蛇口接続用カップリングを提供する。本発明の蛇口接続用カップリング１は、（１）一側に孔１２を有し、下部縁にネジ部１４が形成され、蛇口の排出管２ａ外側に組み付けられる固定具１０と、（２）前記固定具の内部に嵌入され、上部の一側に蛇口の排出管２ａの下部が受け入れられる凹陥部２２が形成され、下部にホースを組み付けるための嵌入部２４が形成されている接続具２０と、（３）上部の内側に前記固定具のネジ部１４と締結されるネジ部３２を有し、下部の底面に突起部３４が形成されている締結部３０とを備える。
2007528458.tif 000002
【特許請求の範囲】
【請求項１】
一側に孔(12)を有し、下部縁にネジ部(14)が形成され、蛇口(2)の排出管(2a)外側に組み付けられる固定具(10)と、
前記固定具(10)の内部に嵌入され、上部の一側に蛇口(2)の排出管(2a)の下部を受け入れる凹陥部(22)が形成され、下部にホースを組み付けるための嵌入部(24)が形成されている接続具(20)と、
上部の内側に前記固定具(10)のネジ部(14)と締結されるネジ部(32)を有し、下部の底面をなす箇所に内向きの突出縁部(34)が形成されている締結部(30)と、
を備えることを特徴とする水道の蛇口接続用カップリング。
【請求項２】
前記接続具(20)の内部に、蛇口(2a)の排出管(2a)内部に挿入され、外側にテーパー面が形成された組み付け管体(26)が形成されていることを特徴とする請求項１記載の水道の蛇口接続用カップリング。
【発明の詳細な説明】
【技術分野】
【０００１】
本発明は、水道の蛇口接続用カップリングに関する。特には、蛇口とホースの接続部に高い水圧が発生しても水密を維持し、離脱することがなく、間単に使用できる蛇口接続用カップリングに関する。
【背景技術】
【０００２】
通常、洗濯機、水噴射器などのホースを蛇口に結合させ、必要により水道水を使用するときには、蛇口のバルブを開状態にして洗濯機及び水噴射器で開閉が操作される。したがって、水が排出されない状態で、蛇口とホースに高い水圧が発生するようになり、蛇口とホースとの間には強力な締結力を有するカップリングを備えることとなる。
【０００３】
このカップリングは、外側縁に沿って４個の締結ネジが取り付けられて蛇口の外側縁を強く締結し、内部にゴムパッキングが設けられる。そして、カップリングは、その下部に洗濯機のような外部機器に接続されるホースのアダプターが接続される接続部を有する。このような従来のカッブリングは、設置が難しく、構造が複雑で、水圧によって徐々に締結力が低下し、それによって、漏水及び組み付け部の分離という現象が頻繁に発生するという問題点を有する。
【０００４】
また、本出願人により登録された韓国実用新案登録第３０２１９６号「蛇口締結用カップリング」には、完壁な締結力を有しているが、やはり構造が複雑で生産性が低いカップリングが開示されている。
【特許文献１】米国特許５，１７６，０１４
【特許文献２】米国特許５，４９４，２２２
【特許文献３】米国特許５，１９４，１５６
【特許文献４】特開平０７−１９７４９６
【特許文献５】日本特許３４７９４９２４号
【特許文献６】特開平０６−１７４１５５
【発明の開示】
【発明が解決しようとする課題】
【０００５】
したがって、上述した従来技術の問題点を克服すべく、本発明の目的は、蛇口とホースとの間に高い圧力が発生するときに漏水及び離脱を防ぐことができるように、強い締結力を有する水道の蛇口接続用カップリングを提供することにある。本発明の他の目的は、構造が簡単で、使用が一層便利で、生産性を向上させることができる水道の蛇口接続用カップリングを提供することにある。
【課題を解決するための手段】
【０００６】
上記の目的を達成するために、本発明の蛇口接続用カップリング１は、（１）一側に孔１２を有し、下部縁にネジ部１４が形成され、蛇口の排出管２ａ外側に組み付けられる固定具１０と、（２）前記固定具の内部に嵌入され、上部の一側に蛇口の排出管２ａの下部が受け入れられる凹陥部２２が形成され、下部にホースを組み付けるための嵌入部２４が形成されている接続具２０と、（３）上部の内側に前記固定具のネジ部１４と締結されるネジ部３２を有し、下部の底面に突起部３４が形成されている締結部３０とを備える。
【発明の効果】
【０００７】
本発明による水道の蛇口接続用カップリングは、別途の工具が不要で、容易で迅速に設置したり分解することが可能で、簡単な構造で生産性が向上し、製造コストを低減し、さらに強い締結力で漏水及び分離の問題を完壁に防止することができる効果がある。
【発明を実施するための最良の形態】
【０００８】
以下、本発明の望ましい実施形態を添付の図面を参照して詳細に説明する。図１は、本発明による水道の蛇口接続用カップリングを示す分解斜視図である。図１を参照すると、このカップリングは、蛇口とホース或いはアダプターを接続するための接続具２０と、その上下部にあって、接続具２０を蛇口に固定させるための固定具１０と、接続具２０を強く締結するための締結具３０とから構成される。図２は、本発明による水道の蛇口接続用カップリングが蛇口に結合された状態を例示する断面図である。また、図２には、接続具２０の端部に洗濯機のホースに備えられたアダプターが締結されている状態を示す。図３は、本発明による水道の蛇口接続用カップリングが蛇口に結合される他の例を示す断面図であり、一般的なホースが締結された状態を示す。
【０００９】
下記に、図２及び図３を参照してより詳細に説明する。
【００１０】
蛇口２の排出管２ａの外側に組み立てられる固定具１０は、上部が密閉された円筒状で、底面は開放されている。また、固定具１０は、一側に孔１２が形成されて蛇口の排出管２ａを嵌入することが可能である。このとき、孔１２は、図４Ａ及び図４Ｂに示すように、垂直に屈曲する排出管を深々と入れるように十分なサイズの直径を有する。すなわち、蛇口の前方排出管２ａは、垂直に曲げられて逆Ｌ字状となっている。このとき、固定具１０は、排出管２ａの外側に組み付けられつつ垂直に立てられるようになる。したがって、固定具１０は、図４Ａのように、横向けになった状態で排出管２ａに進入して徐々に回転しつつ垂直に立てられるようになる。そして、固定具１０の下部縁に沿ってネジ部１４が形成されている。
【００１１】
次に、排出管２ａと固定具１０との間に嵌入される接続具２０は、上部が開放された円筒状で、その内径に蛇口の排出管２ａが挿入され、その外側には前述した固定具１０が嵌められる。このとき、接続具２０は、上面一側の下部に形成される凹陥部２２が形成され、固定具２０の孔１２と同一の位置で排出管を内部に嵌挿することができる。そして、接続具２０の下部には直径が縮小され、通常のホース及び洗濯機ホースの端に設置されたアダプター４を結合させる嵌入部２４を有する。一方、接続具２０の内部には上方に突出する組み付け管体２６が形成され、この組み付け管体２６は蛇口２に組み付けるときに排出管２ａの内部に挿入される。ここで、組み付け管体２６は、外径面がテーパ面として形成され、下方に向かって直径が徐々に拡大している。このテーパー面は、排出管２ａの内側面に組み付けられ、それによって内部の気密を維持できるようにする。
【００１２】
さらに、固定具１０と接続具２０の下部には円筒形締結具３０が締結される。締結具３０は、内側にネジ部３２が形成されており、前述した固定具１０のネジ部１４と締結される。また、内部の下側には内向き円状の突出縁部３４が形成されている。円状の突出縁部３４は、接続具２０の外側縁より小さい直径を有し、接続具２０の円筒部がこの円状の突出縁部３４の上に載置される。接続具２０の嵌入部２４は、円状突出縁部３４の中央を貫通して下方に突出する。
【００１３】
以上のように構成される本発明の水道の蛇口接続用カップリングは、次のように使用される。
【００１４】
まず、蛇口の排出管２ａに、図４Ａ及び図４Ｂに示す方法で、固定具１０を嵌入し、その下部から接続具２０を嵌める。この接続具２０は、排出管２ａと固定具１０との間に嵌められて中央の組み付け管体２６が排出管２ａの内径内に挿入される。固定具１０の下部から締結具３０を嵌めて回転させつつネジ締結させる。このとき、締結具３０が固定具１０にネジ合わされつつ上方に移動する際に、締結具３０の円状突出縁部３４上に載せられている接続具２０が上に移動するようになる。すると、排出管２ａの内径面に組み付け管体２６が密着され、水道の蛇口と接続具との間は、図２に示すように完壁に密閉される。
【００１５】
その後、下方へと露出する嵌入部２４に洗濯機或いは水噴射器のホースに装着された通常のアダプター４を装着することによって、蛇口とホースは漏水のない強い締結力を有して接続される。
【００１６】
一般的なホースを接続する場合には、図３に示すように、接続具の嵌入部２４にまずホース５を嵌めた後に、締結具３０を強く引いて締結するならば、ホースの外側に締結具３０の円状突出縁部３４が密着されて堅固に締結される。
【図面の簡単な説明】
【００１７】
【図１】本発明による水道の蛇口接続用カップリングを示す分解斜視図である。
【図２】本発明による蛇口接続用カップリングの結合状態を例示した断面図である。
【図３】本発明による蛇口接続用カップリングが、異なった具合に使用される状態を例示した断面図である。
【図４ａ】本発明による水道の蛇口接続用カップリングにおいて、蛇口の排出管に固定具を挿入する過程を示す図（１）である。
【図４ｂ】本発明による水道の蛇口接続用カップリングにおいて、蛇口の排出管に固定具を挿入する過程を示す図（２）である。
【符号の説明】
【００１８】
１  カップリング    ２  蛇口      １０  固定具    １２  孔    
２０  接続具        ２２  凹陥部    ３０  締結具    ３４  円状突出縁部
【図１】
2007528458.tif 000003
【図２】
2007528458.tif 000004
【図３】
2007528458.tif 000005
【図４ａ】
2007528458.tif 000006
【図４ｂ】
2007528458.tif 000007
【国際調査報告】
2007528458.tif 000008
2007528458.tif 000009